(57)【要約】【課題】ビルの屋上等の屋外に取り付ける際に日射の防止機能の設置される方向への依存度を減らし、さらに熱エネルギーの放射のための空気の対流に適した日除け板および日除け板を取り付けた屋外装置を提供することを目的とする。【解決手段】  本発明の日除け板は、太陽からの日射を防ぐための第１の日除け面と、前記第１の日除け面と段差をもって接続され、その接続部に空気の対流のための通気穴が形成されている第２の日除け面と、を備えている。【選択図】図１
2011111723.tif 000002
【特許請求の範囲】
【請求項１】
第１の日除け面と、
前記第１の日除け面と段差をもって接続され、その接続部に通気穴が形成されている第２の日除け面と、
を備えることを特徴とする日除け板。
【請求項２】
前記第１の日除け面と前記第２の日除け面を接続する前記接続部は傾斜を有していることを特徴とする請求項１に記載の日除け板。
【請求項３】
前記第１の日除け面と前記第２の日除け面を接続する前記接続部は湾曲面を有していることを特徴とする請求項１に記載の日除け板。
【請求項４】
日除け面と、
前記日除け面に形成される複数の半球状の凹部又は凸部に開口される複数の通気穴と、
を有することを特徴とする日除け板。
【請求項５】
請求項１又は請求項４に記載の日除け板が少なくとも上面に取り付けられていることを特徴とする日除け板を備える屋外装置。
【発明の詳細な説明】
【技術分野】
【０００１】
本発明は、太陽からの日射を遮る日除け板および日除け板を取り付けた通信機器に関する。
【背景技術】
【０００２】
従来から、屋外に設置する屋外装置、例えばＰＨＳ基地局等の通信機器は電柱などの近傍に取り付けられているため、太陽からの直射日光を受ける状態で設置されている。この際、屋外装置内部の温度上昇を防止することが部品の機能及び品質維持のため、求められる。
【０００３】
屋外装置の内部温度は、屋外装置内の部品の発熱量に加え、外部の太陽からの日射熱による熱量より決定される。
【０００４】
このため、日除け板を屋外装置の上面などに設けることにより、直射日光を防ぐ構造が考えられていた。しかし、日除け板を取り付けるだけの対策だけでは、太陽からの日射熱による熱エネルギーが日除け板の内部に蓄積される。この日除け板に蓄積された熱エネルギーは、空気を介して屋外装置（内部筺体）へ伝達される。このように、日除け板に蓄積された熱エネルギーが屋外装置（内部筺体）に伝達されると、日除け板の温度上昇防止機能を低下させることになる。そこで、日除け板の日射を防ぐ効果を維持しつつ、日除け板の屋外装置（内部筺体）への放射熱を減少させ、さらに日除け板自体および屋外装置（内部筺体）から蓄積された熱エネルギーを放射するための空気の対流が可能なルーバ構造を利用した日除け板が発明されている（例えば、特許文献１参照）。
【先行技術文献】
【特許文献】
【０００５】
【特許文献１】特開平１１−１９０１１３号公報
【発明の概要】
【発明が解決しようとする課題】
【０００６】
ここで、屋外装置は、様々な条件、例えば電柱や地面など様々な場所に設置される。このため、日除け板の設置される方向に関わらず日除け機能を発揮することが求められる。
【０００７】
しかしながら、特許文献１のルーバ構造では、直射日光を遮るように方向性を考慮してルーバを設置する必要があることから、設置される方向によっては、日射が防ぎきれない場合があった。
【０００８】
本発明は、上記事情に鑑みてされたもので、日射の防止機能の設置される方向への依存度を減らし、さらに熱エネルギーの放射のための空気の対流に適した日除け板および日除け板を取り付けた屋外装置を提供することを目的とする。
【課題を解決するための手段】
【０００９】
上記目的の達成するために本発明の日除け板は、第１の日除け面と、前記第１の日除け面と段差をもって接続され、その接続部に通気穴が形成されている第２の日除け面と、を備えることを特徴とする。
【発明の効果】
【００１０】
本発明によれば、日除け板の設置される方向に係わらず日射の防止機能を維持することができるため、取り付け作業を簡単に行うことができる。
【図面の簡単な説明】
【００１１】
【図１】本発明の第１の実施形態に係る日除け板の斜視図。
【図２】本発明の第１の実施形態に係る日除け板の加工部の断面図。
【図３】本発明の第１の実施形態に係る日除け板の加工部の３面図。
【図４】本発明の第２の実施形態における日除け板の通気口の断面図である。
【図５】本発明の第３の実施形態に係る日除け板の斜視図。
【図６】本発明の第３の実施形態に係る日除け板の３面図。
【発明を実施するための形態】
【００１２】
以下、本発明の実施態様について図面を参照しながら説明する。
【００１３】
（第１の実施形態）
図１は、本発明の第１の実施形態に係る日除け板１０を屋外装置１００の上面に設置した状態の斜視図である。図１の長手方向の軸をＸ軸、短手方向の軸をＹ軸、Ｘ軸およびＹ軸に垂直な軸をＺ軸とする。
【００１４】
なお、本実施形態における上面とは屋外装置からみた太陽の方向、つまりＺ軸正の方向をさす。下面とは太陽からみた屋外装置の方向、すなわちＺ軸負の方向を指すものとする。
【００１５】
日除け板１０は、図１に示すように屋外装置１００の上面に取り付けられる。その取り付け位置は、屋外装置１００の上面だけでなく、その側面等（少なくとも南側の側面）に取り付けて良い。そして日除け板１０は、上面日除け面１０ａと凹部の通気口２０ａによって構成されている。通気口２０ａは、上面日除け面１０ａに規則正しく多数成型されているが、ランダムに多数成型したものでも良い。日除け板１０の材質としては、例えばアルミ板などが考えられるが、その他の金属類や木材を用いてもよい。
【００１６】
図２は、１つの通気口２０ａの拡大図である。通気口２０ａは、図２に示すように、凹部の下面日除け面１０ｂと、上面日除け面１０ａと下面日除け面１０ｂを接続する接続部１２と、接続部１２と接続部１２の間に設けられる通気穴２２から構成される。通気穴２２は、屋外装置１００と日除け板１０の間に蓄積される暖かい空気（熱エネルギー）を空気の対流により排出する空気穴である。
【００１７】
下面日除け面１０ｂは、図１に示すように、上面日除け面１０ａより下段に成型された面であり、この下面日除け面１０ｂと上面日除け面１０ａによって直射日光を防ぐように作用する。下面日除け面１０ｂは、通気口２０ａの形状と同様に、例えば円形や楕円形、または多角形の形状でもよい。
【００１８】
図３は、通気口２０ａをＸ−Ｙ方向，Ｙ−Ｚ方向，Ｚ−Ｘ方向のそれぞれから見た三面図である。図３の斜線部は、接続部１２であり、その接続部１２間は通気穴２２を示している。
【００１９】
屋外装置１００は、例えばＰＨＳ基地局等の通信機器等であるが、その他の日射による温度上昇を防ぎたい機器であればよい。
【００２０】
次に、第１の実施形態の作用について説明する。本実施形態の日除け板１０は、最初にプレス加工にて凹部又は凸部の下面日除け面１０ｂを成型し、その後、中ぐり加工により通気口２２を作成する。
【００２１】
上面日除け面１０ａおよび下面日除け面１０ｂは、太陽からの日射を防ぎ、通気穴２２では、屋外装置１００と日除け板１０の間に蓄積される暖かい空気を対流により外部へ排出する。下面日除け面１０ｂは、上面日除け面１０ａと段差を有して平行に設置されるため、日射の方向に依らず一定の日射を遮ることができる。
【００２２】
よって、日除け板１０の取り付け方向に関係なく、日射防止機能を維持することができる。また、日射を防ぎながらも通気穴２２によって屋外装置１００と日除け板１０の間に蓄積される暖かい空気（熱エネルギー）を空気の対流により外部に排出することができる。この空気の対流によって、日除け板１０の日射による熱エネルギーの蓄積を防止する。よって、日除け板１０ａから空気を介した屋外装置１００への放熱エネルギーも減少し、屋外装置１００の温度上昇を防止することができる。この結果、屋外装置１００の温度上昇による機能の阻害を防止することができる。
【００２３】
また、大きな平面１つで形成される板よりも段差をつけて小さな平面複数個で同じ日射面積を形成される板のほうが、同じ日射による熱エネルギーを受けても温まりにくい。これは、一枚の平面から放熱可能な体積を考えた場合、段差を付けて形成された小さな面からの放射のほうが放射可能な体積を大きくとることができるからである。
【００２４】
このような性質に鑑みると、本実施形態による日除け板は、上面日除け面１０ａ，下面日除け面１０ｂの集合であるので放熱効果が高いといえる。したがって、屋外装置１００への熱放射エネルギーも減少し、さらに内部筺体１００の温度上昇も防止することができる。
【００２５】
他の効果として、一枚の板から治具を用いたプレス加工および中ぐり加工で通気口２２を成形することができるため、製造が容易である。
【００２６】
なお、本実施形態では、上面日除け面１０ａの凹部に下面日除け面１０ｂを形成するとしたが、逆な凸部の構成として、日除け面１０ａの上段に上面日除け面１０ｂを形成する構成であってもよい。
【００２７】
（第２の実施形態）
図４は、第２の実施形態における日除け板の通気口２２の断面図である。
【００２８】
第１の実施形態との違いは、接続部１２がＺ軸と平行でなく、下面日除け面１０ｂから上面に向けて外側に傾斜を有している点である。また、下面日除け面１０ｂの日除け面積は、これによって第１の実施形態よりも小さくなる一方、接続部１２の面積を第一の実施形態に比べて広くしている。
【００２９】
なお、接続部は直線的な傾斜ではなく、湾曲面を有するようにしてもよい。例えば、下面日除け面１０ｂと接続部１２がなだらか面で接続して、下面日除け面１０ｂと接続部１２を併せて例えば半球面等の形状であってもよい。この場合、日除け面に形成される複数の半球状の凹部又は凸部に複数の通気穴を開口する構造であっても良い。
【００３０】
このように、接続部１２の面積を第一の実施形態に比べて広くとることにより、空気の対流できる通気穴２２が広がる。また、下面日除け面１０ｂの面積がさらに小さくなることにより、接続部１２の日射を受ける面積は増えるが、さらなる日除け面積の分散化が図れる。日除け面積の分散化により、日除け板の蓄積エネルギーはさらに減少することとなり、屋外装置１００の温度上昇の防止につながる。
【００３１】
よって、接続部１２を下面日除け面１０ｂの面積が小さくなるように傾けることにより、日除け板の放射エネルギーをさらに増加させ、屋外装置１００の温度上昇の防止を図ることができる。
【００３２】
（第３の実施形態）
図５は、第３の実施形態における日除け板の斜視図である。
【００３３】
図５に示すように、屋外装置１００と、屋外装置１００を被装する日除け板１０から構成される。また図６には、本実施形態の三面図を示す。
【００３４】
日除け板１０は、屋外装置１００を取り囲むように設置され、第１の実施形態と同様の上面日除け面１０ａには第１通気口２０ａが形成される。第１の実施形態との異なる点は、Ｘ−Ｚ平面、Ｙ−Ｚ平面にも日除け面１０ｃ、１０ｄが設置される構成としている。また、第１通気口２０ａの下段には下面日除け面１０ｂが設けられている。そして、上述した日除け面１０ｃおよび日除け面１０ｄには、内部の暖かい空気を外部に排出する第２通気口２０ｂが設けられている。日除け面１０ｃおよび日除け面１０ｄは、両側に二枚でー対である必要はなくー枚であってもよい。さらには、屋外装置１００を囲むにあたり、周囲六面全てを囲う必要はなく、日差しを覆うように少なくとも二面以上を囲まれている形態であればよい。
【００３５】
次に、第３の実施形態の作用について説明する。
【００３６】
日除け面１０ａ乃至日除け面１０ｄは、太陽からの日射を防ぎ、第１通気口２０ａの図示していない通風穴では空気の対流が行われる。よって、通風穴から屋外装置１００と日除け板１０の間に蓄積される暖かい空気を対流により外部に排出することができる。更に、日除け面１０ｃおよび日除け面１０ｄによって、屋外装置１００への直射日光を遮蔽することができる。そして、側面に設けた第２通気口２０ｂによって、屋外装置１００と日除け板１０の内部にこもる暖かい空気を外部に排出することができる。
【００３７】
したがって、第３の実施形態によれば第１の実施形態に比べ、更に広範囲に日除け効果を発揮させることができる。
【００３８】
なお本発明は、発明の要旨を逸脱しない範囲において、上述した実施形態を適宜設計変更することが可能であり、必要に応じて実施形態を適宜組み合わせても良い。
【符号の説明】
【００３９】
１０        …  日除け板
１０ａ      …  上面日除け面
１０ｂ      …  下面日除け面
１２        …  接続部
２０ａ      …  通風口
２２        …  通風穴
１００      …  屋外装置
【図１】
2011111723.tif 000003
【図２】
2011111723.tif 000004
【図３】
2011111723.tif 000005
【図４】
2011111723.tif 000006
【図５】
2011111723.tif 000007
【図６】
2011111723.tif 000008